(57)【要約】【課題】      ショップに陳列したブックの立ち読みを防止する。【解決手段】  一面の開口１からブックＢを嵌入して収納すると共に、上記ブックの背表紙Ｂ’に対向するストッパ部２により前記ブックの引き抜きを阻止する箱体Ａと、この箱体の一辺にヒンジ６を介し上記箱体の開口を閉鎖するように設けた開閉自在な蓋体Ｃと、この蓋体と上記箱体とにショップ側で解錠することができるように設けた錠装置Ｄと、上記蓋体の上記ストッパ部に対向する辺縁に上記ブックの片方の表紙及び綴じ込み紙の一部を前記蓋体の表面側に露出させるための通過を許容するように設けた欠除部２２とからなる構成を採用する。【選択図】図１
2009119833.tif 000002
【特許請求の範囲】
【請求項１】
一面の開口からブックを嵌入して収納すると共に、上記ブックの背表紙に対向するストッパ部により前記ブックの引き抜きを阻止する箱体と、この箱体の一辺にヒンジを介し上記箱体の開口を閉鎖するように設けた開閉自在な蓋体と、この蓋体と上記箱体とにショップ側で解錠することができるように設けた錠装置と、上記蓋体の上記ストッパ部に対向する辺縁に上記ブックの片方の表紙及び綴じ込み紙の一部を前記蓋体の表面側に露出させるための通過を許容するように設けた欠除部とからなるブックの立ち読み防止装置。
【請求項２】
一面の開口からブックを嵌入して収納すると共に、上記ブックの背表紙に対向するストッパ部により前記ブックの引き抜きを阻止する箱体と、この箱体の一辺にヒンジを介し上記箱体の開口を閉鎖するように設けた開閉自在な蓋体と、この蓋体と上記箱体とにショップ側で解錠することができるように設けた錠装置と、上記蓋体の上記ストッパ部に対向する辺縁に上記ブックの片方の表紙及び綴じ込み紙の一部を前記蓋体の表面側に露出させるための通過を許容するように設けた欠除部とからなり、蓋体を開放して一面の開口から箱体内にブックを嵌入したのち、嵌入したブックの表紙と綴じ込み紙の一部を捲くって、捲くった状態を維持しながら蓋体の閉鎖により箱体内にブックを収納すると共に、錠装置の施錠により蓋体の開放を阻止することで、蓋体外の露出綴じ込み紙のみを読み取ることができるようにしたことを特徴とするブックの立ち読み防止方法。
【請求項３】
前記箱体のストッパ部に平行する辺縁に前記ストッパ部に対向する突出壁を設けて、この突出壁に綴じ込み紙間に食い込む捲り用の食い込み片を設けたことを特徴とする請求項１に記載のブックの立ち読み防止装置。
【請求項４】
前記箱体のストッパ部に平行する辺縁に突出壁を設けると共に、この突出壁に綴じ込み紙を捲る指先の嵌り込み部を設けたことを特徴とする請求項１に記載のブックの立ち読み防止装置。
【請求項５】
一面の開口からブックを嵌入して収納すると共に、上記ブックの背表紙に対向するストッパ部により前記ブックの引き抜きを阻止する箱体と、この箱体の一辺にヒンジを介し上記箱体の開口を閉鎖するように設けた開閉自在な蓋体と、この蓋体と上記箱体とにショップ側で解錠することができるように設けた錠装置と、上記蓋体の上記ストッパ部に対向する辺縁に上記ブックの片方の表紙及び綴じ込み紙の一部を前記蓋体の表面側に露出させるための通過を許容するように設けた欠除部とで構成した盗難防止装置を上面に挿入口を有する展示ケースに上記挿入口から挿入したことを特徴とする展示装置。
【発明の詳細な説明】
【技術分野】
【０００１】  この発明は、ショップの棚などに陳列してあるマンガなどのブックの立ち読みを防止し、又客がブックの表紙と目次などの綴じ込み紙の一部を捲って読むことができる立ち読み防止装置に関する。
【背景技術】
【０００２】  ショップの棚にマンガなどのブックを陳列すると立ち読みすることができて、立ち読みにともない購入意欲を喪失させる。【０００３】  そこで、立ち読み防止のため透明な合成樹脂製の袋にブックを封入包装して上述の問題を解消している。【０００４】  しかしながら、ブック毎に包装するので著しく手数がかかる問題があり、又包装にともないブックの目次などの綴じ込み紙の一部を読むことができないため購入意欲を喪失させる問題もあった。【０００５】  そこで、陳列時のブックの立ち読みを防止すると共に、片方の表紙側の目次などの綴じ込み紙の一部を捲ることができるようにした立ち読み防止装置がある（特許文献１及び２）。【０００６】
【特許文献１】  特開２０００−１４１９４５号公報
【０００７】
【特許文献２】  特開２００６−３２３４２８号公報
【発明の開示】
【発明が解決しようとする課題】
【０００８】  ところで、特許文献１の立ち読み防止方式は、本の一部のページを除く大半部のページを見開き不能に本用容器の包込部により包み込み、突出口から一部のページを突出させて、この突出した一部のページを確認できるように捲ることが可能になる。【０００９】  そして、カバー面を倒して突出した一部のページを被うようにしてある。【００１０】  すると、ショップでの陳列時にカバー面を開いて突出口から突出した一部のページを捲って目的などを読むことができ、購入意欲を喪失させることがない。【００１１】  しかしながら、本のレンタルに際し本用容器から本を取り出して本をレンタルし、ショップに空の本容器を回収して保管するので、保管に手数がかかると共に、広い保管場所を必要とする問題があった。【００１２】  特に本用容器の包込部を、外向側と内向側と、反背側と、背側と、天面及び地面とから（透明な樹脂シートの）なり、外向側と内向側の側縁中途を粘着テープで接合している。【００１３】  すると、本の背側のコーナを内向側と共に捲くって読まれ、また捲くった部分を強く引っ張ることで粘着テープがめくれ、或いは破断されて立ち読みされることがある。【００１４】  また、特許文献２の立ち読み防止方式は筒状の保持部材にブックの綴じ込み紙及び表裏表紙側の少なくとも片方を貫通させて、保持部材の側面の外側に存在する目次などを捲ることができるようにすることで、一部を捲ってある程度納得できた上でレンタル或いは購入することができると共に、保持部材に貫通している綴じ込み紙の立ち読みを防止する。【００１５】  しかしながら、レンタルや購入にともないブックの引き抜いた後のショップ側に回収した保持部材が残るので、上述のように保持部材の保管に手数がかかると共に、広い保管場所を必要とする問題があった。【００１６】そこで、この発明は、上述の問題を解消したブックの立ち読み防止装置を提供することにある。
【課題を解決するための手段】
【００１７】  上記の課題を解決するために、この発明は、一面の開口からブックを嵌入して収納すると共に、上記ブックの背表紙に対向するストッパ部により前記ブックの引き抜きを阻止する箱体と、この箱体の一辺にヒンジを介し上記箱体の開口を閉鎖するように設けた開閉自在な蓋体と、この蓋体と上記箱体とにショップ側で解錠することができるように設けた錠装置と、上記蓋体の上記ストッパ部に対向する辺縁に上記ブックの片方の表紙及び綴じ込み紙の一部を前記蓋体の表面側に露出させるための通過を許容するように設けた欠除部とからなるブックの立ち読み防止装置や一面の開口からブックを嵌入して収納すると共に、上記ブックの背表紙に対向するストッパ部により前記ブックの引き抜きを阻止する箱体と、この箱体の一辺にヒンジを介し上記箱体の開口を閉鎖するように設けた開閉自在な蓋体と、この蓋体と上記箱体とにショップ側で解錠することができるように設けた錠装置と、上記蓋体の上記ストッパ部に対向する辺縁に上記ブックの片方の表紙及び綴じ込み紙の一部を前記蓋体の表面側に露出させるための通過を許容するように設けた欠除部とからなり、蓋体を開放して一面の開口から箱体内にブックを嵌入したのち、嵌入したブックの表紙と綴じ込み紙の一部を捲くって、捲くった状態を維持しながら蓋体の閉鎖により箱体内にブックを収納すると共に、錠装置の施錠により蓋体の開放を阻止することで、蓋体外の露出綴じ込み紙のみを読み取ることができるようにしたことを特徴とするブックの立ち読み防止方法を採用する。【００１８】  すると、陳列時のブックを蓋体の表面に露出する綴じ込み紙のみを捲ることができて、箱体内の綴じ込み紙の捲りを防止する。【００１９】  また、箱体のストッパ部に平行する辺縁に前記ストッパ部に対向する突出壁を設けて、この突出壁に綴じ込み紙間に食い込む捲り用の食い込み片を設けた構成を採用して、食い込み片の食い込んだ綴じ込み紙と表紙との反転捲りができる。【００２０】  さらに、箱体のストッパ部に平行する辺縁に突出壁を設けると共に、この突出壁に綴じ込み紙を捲る指先の嵌り込み部を設けた構成を採用して、嵌り込み部に嵌り込む指先を引っかけて綴じ込み紙と表紙の反転捲りを行なう。【００２１】  また、一面の開口からブックを嵌入して収納すると共に、上記ブックの背表紙に対向するストッパ部により前記ブックの引き抜きを阻止する箱体と、この箱体の一辺にヒンジを介し上記箱体の開口を閉鎖するように設けた開閉自在な蓋体と、この蓋体と上記箱体とにショップ側で解錠することができるように設けた錠装置と、上記蓋体の上記ストッパ部に対向する辺縁に上記ブックの片方の表紙及び綴じ込み紙の一部を前記蓋体の表面側に露出させるための通過を許容するように設けた欠除部とで構成した盗難防止装置を上面に挿入口を有する展示ケースに上記挿入口から挿入した構成を採用して、ショップの棚に並べる。
【発明の効果】
【００２２】  以上のように、この発明の立ち読み防止装置及びその方法によれば、箱体に収納したブックの表紙及び綴じ込み紙の一部を欠除部に通過させて蓋体の表面側に露出させてあるので、露出した綴じ込み紙を客が読み取って内容の一部を確認することができる。【００２３】  このため、或る程度ブックの内容を納得した上でレンタルや購入することができると共に、読みたいという意欲のため購買欲を高める効果があり、又陳列時には、綴じ込み紙間の綴じ込み代側に蓋体の欠除部の縁が存在し、かつブックの背表紙にストッパ部が存在するため箱体に対するブックの引き抜きが阻止されてブックの盗難を防止する効果があり、更にレンタルに際しては、ショップ側で錠装置を解錠しておくと、蓋体付の箱体をブックのケースとして貸し出すことができるので、ショップ側にケースが残らないため、ケースの保管が不要になる以外に広い保管場所を必要としない効果もある。【００２４】  また、箱体内に収納するブックに食い込みを食い込ませることで、蓋体の表面側で露出させる綴じ込み紙の一部の捲り作業が極めてスムーズにできる。【００２５】  さらに、突出壁の嵌り込み部に指先に嵌入して箱体内のブックの綴じ込み紙に指先の部分を引っかけることができるので、蓋体の表面に露出させる綴じ込み紙の捲り作業がスムーズにできる。【００２６】  また、挿入口から展示ケースに立ち読み防止装置を挿入することでショップの棚にブックの損傷を防止して並べて陳列することができると共に、展示ケースに封入してあるブックのジャケットシートにより宣伝効果などが向上する。
【発明を実施するための最良の形態】
【００２７】  以下、この発明の実施の形態を添付図面に基づいて説明する。【００２８】  この発明の第１の実施形態では、図１から図７に示すように、Ａは一面の開口１からブックＢを嵌入して収納すると共に、ブックＢの背表紙Ｂ’に対向するストッパ部２によりブックＢの引き抜き（背表紙Ｂ’方向のスライドを止めて）を阻止する箱体である。【００２９】  ストッパ部２の突出度合い（長さ）は、ブックＢが抜け出さない長さに決定すればよい。【００３０】  上記の箱体Ａは、主壁３と、この主壁３の両端（図１上下方向の）縁から連なって主壁３の裏面方向に突出する端壁４、４と、主壁４の一側縁から連なって主壁４の裏面方向に突出するストッパ部２とで構成され、図示の場合主壁３の他側縁から連なって主壁３の裏面方向に突出する（ストッパ部２に平行する）突出壁５を設けたが、突出壁５の有無は限定されない。【００３１】  要するに、箱体Ａに収納したブックＢが、箱体Ａ内からのスライドによる引き抜きが端壁４、４とストッパ部２とで阻止することにある。【００３２】  そして、ストッパ部２も、図示の場合主壁３の側縁全長に設けたが、限定されず主壁３の側縁から単数、複数（点在的に）突出させて設けることもある。【００３３】  Ｃは箱体Ａの辺縁にピンその他のヒンジ６を介し開口１を開閉するように設けた蓋体である。【００３４】  上記蓋体Ｃを構成する主壁３に対向する（閉鎖状況下での）主壁７を、図示の場合一方の端壁４の開放縁にハーフカットのヒンジ６を介し開閉自在に設けたが、限定されず、例えば箱体Ａの突出壁５にヒンジを介し蓋体Ｃを開閉自在に設けてもよい。当然ヒンジ６も主壁３と端壁４の境に設けることもある。そしてヒンジ６の位置も端壁４側に限定されず、箱体Ａの他の辺縁であってもよい。【００３５】  Ｄは箱体Ａと蓋体Ｃとに閉鎖状況下での蓋体Ｃの開放を阻止すると共に、ショップ側での施錠をショップ側で解錠することができる錠装置である。【００３６】  上記の錠装置Ｄとしては、図示の場合ヒンジ６の反対側の辺（その他の辺であってもよい）で、主壁７の辺縁に端壁４に重なる端壁８を設けて、この両端壁４、８の外側辺縁に蓋体Ｃの閉鎖時対向面が重なり合う並列溝形材９、９を設けて、この両溝形材９、９内に挿入路１０を形成し、この挿入路１０に挿入する挿入部材１１の図示上面の並列する突条１２、１２が溝形材９、９の突出部１３の内側に嵌り込んで掛合関係になることで箱体Ａに対する蓋体Ｃの開放が阻止されると共に、挿入部材１１に挿入にともない溝形材９の内面に当接して押し戻される所要数の係止爪１４を、挿入部材１１の挿入終了にともない係止爪１４に合致すると共に、合致にともない押し戻しの解除された係止爪１４が嵌り込んで係止関係になるように溝形材９に設けた係止孔１５とで構成したが、限定されず、例えば特許第２９２８４９０号や、実開平６−２８１３４号公報、実用新案登録３０１４４９８号、特許第２７９４４０８号、特開２００２−１２５８１７号公報、特開２００１−８０６６６号公報、特開平１０−２５０７３９号公報、特開平１０−２１１９８１号公報、特開平９−２９０８５６号公報の構成などを採用してもよい。要するに、蓋体Ｃの閉鎖にともない錠装置Ｄにより施錠さ���、ショップ側で解錠することができるものであればよい。【００３７】  なお、上記の係止爪１４は、図示の場合挿入部材１１の頂壁にコ字状のスリット１６を入れて、このスリット１６の内側に設けたが、限定されず、例えば別部品の一端側を固着して設けてもよい。【００３８】  上記図示錠装置Ｄの解錠方式は、図８に示すように、ショップ側の解錠具Ｅを溝形材９の上面に載置すると共に、解錠具Ｅの突起１７を係止孔１５に押し込むことで係止孔１５から係止爪１４を脱出させて、係止孔１５と係止爪１４との係止関係を解除する。【００３９】  この状況下で解錠具Ｅの撮み１８を把持してスライダ１９を引き戻すと、スライダ１９が挿入部材１１の突部２０に掛合して挿入部材１１を脱出方向にスライドさせ、スライドした挿入部材１１を引き抜いて、引き抜いた挿入部材１１をショップ側に回収して、再使用する。【００４０】  なお、周知のように係止爪１４に錠片（図示省略）を取着して、ショップ側の解錠具の磁石により鉄片を磁吸して、係止爪１４と係止孔としての係合部との係止関係を解除する方式もある。【００４１】  図中２１はスライダ１９の復帰バネである。【００４２】  また、蓋体Ｃの（主壁７の）ストッパ部２に対向する辺縁には、ブックＢの片方の表紙Ｂ’’と綴じ込み紙ｂの一部の通過を許容する欠除部２２が設けてある。【００４３】  なお、蓋体Ｃの主壁７の欠除部２２に平行する辺縁に主壁７の裏面方向に突出する突出壁２３を設けておくと、箱体Ａ及び蓋体ＣをブックＢのレンタルの際貸し出し用ケースとして用いた際、箱体Ａに収納したブックＢの飛び出し方向の抜け止めになる。【００４４】  そして突出壁２２も突出壁５に突き合わすようにしたが、限定されず、両突出壁５、２３が内と外で重なることもできる。【００４５】  上記のように構成すると、開口１から箱体Ａ内にブックＢを嵌入して箱体Ａ内にブックＢを収納する。【００４６】  次いで、収納してあるブックＢの表紙Ｂ’’と綴じ込み紙ｂの一部を捲くってストッパ部２の方向に反転させて、反転状態を維持しながら、箱体Ａの開口１を蓋体Ｃにより閉鎖する。【００４７】  このとき、反転させた表紙Ｂ’’及び綴じ込み紙ｂの一部反転部分が図２に示すように欠除部２２に納まり、その後に錠装置Ｄにより蓋体Ｃが開放しないように施錠しておく。【００４８】  すると、陳列時の箱体Ａ内の収納ブックＢは、背表紙Ｂ’側のストッパ部２によりブックＢの背表紙Ｂ’方向のスライドが止められて、ブックＢの抜き取りが阻止され、又ブックＢの背表紙Ｂ’の反対方向のスライドが綴じ込み紙ｂの綴じ代側に位置する蓋体Ｃの（主壁７の）欠除部２２が食い込んで阻止され、その結果、箱体Ａに対するブックＢの抜き取り阻止されて盗難（ブックの持ち出しによる）を防止する。【００４９】  また、陳列時には、蓋体Ｃの表側の表紙Ｂ’’と共に綴じ込み紙ｂの一部を図９に示すように捲ることができるのでＢの内容を納得した上でレンタルや購入することができると共に、読みたいという意欲のため購買欲を高める効果がある。【００５０】  さらに、レンタルや購入に際しては、ショップ側で錠装置Ｄの施錠を解錠して（図示錠装置Ｄの挿入部材１１は、ショップ側に回収して再使用する）、購入時には、箱体ＡからブックＢを取り出して客にブックＢを渡し、空の箱体Ａはショップに回収して再利用し、レンタルに際しては、箱体ＡにブックＢを収納した状態でレンタルケースとして使用する。【００５１】  レンタルケースとしての使用の際は、ストッパ部２と突出壁５、２３とで箱体Ａ内のブックＢの脱出がない。【００５２】  なお、ストッパ部２及び突出壁５、２３の突出長さ（度合い）は、ブックＢの厚みの略半分程度としたが、限定されず、ブックＢの厚みに応じて適宜決定すればよい。【００５３】  そして、主壁３、７に全面或いは点在的な貫窓を設けて軽量化と共に、合成樹脂による成形材料の節約をはかり、又ブックＢは透明なカバーシート付であってもよい。【００５４】  図中２７は溝形材９に形成した突部２０の嵌り込み切り欠きである。【００５５】  この発明の第２の実施形態では、図９及び図１０に示すように、箱体Ａのストッパ部２に対向する突出壁５には、箱体Ａに収納する際のブックＢの綴じ込み紙ｂ間に食い込ませる食い込み片３１が設けてある。【００５６】  上記の食い込み片３１は、図示の場合突出壁５の開放縁からストッパ部２の方向に点在的に複数設けたが、数は限定されず、又先端を先細り状（Ｖ字状）にし、かつ突出縁面をテーパー状にしておくことで綴じ込み紙ｂ間への食い込みがスムーズになり、食い込み位置も蓋体Ｃ側の表紙Ｂ’’に対し複数枚の読ませたい綴じ込み紙ｂの枚数の部分に突き刺し、突き刺しもブックＢの背表紙Ｂ’の反対側を先行させて箱体ＡにブックＢを嵌入すればよい。【００５７】  すると、蓋体Ｃの表面に露出させる表紙Ｂ’’と綴じ込みｂの捲りが極めてスムーズにできる。【００５８】  この発明の第３の実施形態では、図１２及び図１３に示すように、箱体Ａの突出壁５側には、綴じ込み紙ｂを捲る指先の嵌り込み部４１が設けてある。【００５９】  上記の嵌り込み部４１は、図示のように突出壁５の開放縁から内方に切り欠いて設けるか、或いは対向縁が切り離してある突出壁５間を嵌り込み部４１としてもよい。【００６０】  すると、第２の実施形態と同様に嵌り込み部４１に図１３に示すように指先を嵌め込んで、指先に引っかけた綴じ込み紙ｂの捲りが極めてスムーズにできる。【００６１】  この発明の第４の実施形態では、図３、４に示すように、上面に挿入口５１を有する展示ケースＫに第１の実施形態及び第２及び第３の実施形態の箱体Ａと蓋体Ｃとからなる立ち読み防止装置のケースを展示ケースＫの上面の挿入口５１から挿入し、ショップの棚に展示ケースＫを並べて陳列する。【００６２】  そして、展示ケースＫには、ブックＢのジャケットシートＫ’が封入してある。【００６３】  上記のジャケットシートＫ’は、展示ケースＫが透明な合成樹脂製の場合、内側に挿入すると共に、展示ケースＫの上縁の折り込み片５２によりジャケットシートＫ’の上縁を抱き込んで抜け出るのを防止し、展示ケースＫが不透明な場合、展示ケースの表面に透明な押さえシートを設けて、押さえシートの内側にジャケットシートを封入しておく。【００６４】  なお、展示ケースＫの底に上げ底部材５３を設けて、箱体Ａと蓋体Ｃの上部を展示ケースＫの挿入口５１から上方に突出させてレンタル可能な旨を知らせるよ��にしたが、上げ底部材５３の有無は限定されない。【００６５】  また、挿入部材１１の挿入方向の反対側端から下方に突出するストッパ片（図示省略）を設けて、このストッパ片を箱体Ａ内のブックＢの背表紙Ｂ’に臨ませると、箱体Ａ内からのブックＢの抜き取りを阻止することもできる。
【図面の簡単な説明】
【００６６】
【図１】    この発明の第１の実施形態を示す斜視図
【図２】    同斜視図
【図３】    同上の縦断側面図
【図４】    同縦断背面図
【図５】    同縦断正面図
【図６】    同横断平面図
【図７】    貸し出しブックを収納した横断平面図
【図８】    解錠を示す縦断側面図
【図９】    ブックの読み取りを示す斜視図
【図１０】    第２の実施形態を示す斜視図
【図１１】    同上の使用を示す横断平面図
【図１２】    第３の実施形態を示す斜視図
【図１３】    同上の使用を示す横断平面図
【符号の説明】
【００６７】Ａ              箱体
Ｂ              ブック
Ｂ’            背表紙
Ｂ’’          表紙
ｂ              綴じ込み紙
Ｃ              蓋体
１              開口
２              ストッパ部
３              主壁
４              端壁
５              突出壁
６              ヒンジ
７              主壁
Ｄ              錠装置
８              端壁
９              溝形材
１０            挿入路
１１            挿入部材
１２            突条
１３            突出部
１４            係止爪
１５            係止孔
１６            スリット
２２            欠除部
２３            突出壁
３１            食い込み片
４１            嵌り込み部
Ｋ              展示ケース
Ｋ’            ジャケットシート
５１            挿入口
５２            抱き込み片
【図１】
2009119833.tif 000003
【図２】
2009119833.tif 000004
【図３】
2009119833.tif 000005
【図４】
2009119833.tif 000006
【図５】
2009119833.tif 000007
【図６】
2009119833.tif 000008
【図７】
2009119833.tif 000009
【図８】
2009119833.tif 000010
【図９】
2009119833.tif 000011
【図１０】
2009119833.tif 000012
【図１１】
2009119833.tif 000013
【図１２】
2009119833.tif 000014
【図１３】
2009119833.tif 000015
【手続補正書】
【提出日】平成20年3月11日(2008.3.11)
【手続補正１】
【補正対象書類名】明細書
【補正対象項目名】００３０
【補正方法】変更
【補正の内容】
【００３０】  上記の箱体Ａは、主壁３と、この主壁３の両端（図１上下方向の）縁から連なって主壁３の裏面方向に突出する端壁４、４と、主壁３の一側縁から連なって主壁３の裏面方向に突出するストッパ部２とで構成され、図示の場合主壁３の他側縁から連なって主壁３の裏面方向に突出する（ストッパ部２に平行する）突出壁５を設けたが、突出壁５の有無は限定されない。
【手続補正書】
【提出日】平成20年3月25日(2008.3.25)
【手続補正１】
【補正対象書類名】明細書
【補正対象項目名】００５０
【補正方法】変更
【補正の内容】
【００５０】  さらに、レンタルや購入に際しては、ショップ側で錠装置Ｄの施錠を解錠して（図示錠装置Ｄの挿入部材１１は、ショップ側に回収して再使用する）、購入時には、箱体ＡからブックＢを取り出して客にブックＢを渡し、空の箱体Ａはショップに回収して再利用し、レンタルに際しては、箱体ＡにブックＢを収納した状態でレンタルケースとして使用し、又箱体ＡにブックＢを収納したままケース毎販売することもできる。